(57)【要約】【課題】誰でもが自分で容易に、しかも、安価に酸素を多く含む酸素水を生成できる酸素水の生成方法及び酸素水生成容器を提供する。【解決手段】容器に、原料水と酸素ガスを密封し、揺動手段により酸素水を生成することを特徴とする酸素水の生成方法及び酸素水生成容器。【選択図】  図１
2004237271.tif 000002
【特許請求の範囲】
【請求項１】
容器に原料水と酸素ガスを密封し、揺動手段により酸素水を生成することを特徴とする酸素水の生成方法及び酸素水生成容器。
【請求項２】
前記容器が密栓手段を有する請求項１記載の酸素水の生成方法および酸素水生成容器。
【請求項３】
前記容器が、容器内部に撹拌増加手段を有する請求項１及び請求項２記載の酸素水の生成方法及び酸素水生成容器。
【請求項４】
前記容器が、把持手段を有する請求項１〜３記載の酸素水の生成方法及び酸素水生成容器。
【請求項５】
前記容器が、括着手段を有する請求項１〜３記載の酸素水の生成方法及び酸素水生成容器。
【請求項６】
前記容器が、容器内を陽圧化せしめるための陽圧密封手段を有する請求項１および２記載の酸素水の生成方法及び酸素水生成容器。
【請求項７】
前記容器が、生成された酸素水の噴出手段を具備する請求項１および２記載の酸素水の生成方法及び酸素水生成容器。
【発明の詳細な説明】
【０００１】
【発明の属する技術分野】
本発明は、容器に原料水と酸素ガスを密封し、揺動手段により酸素水を生成することを特徴とする酸素水の生成方法及び酸素水生成容器に関する。
【０００２】
さらに詳しくは、本発明は、酸素ガスを原料水に溶存するために揺動手段により溶存効率を高めることのできる酸素水の生成方法及び酸素水生成容器である。
【０００３】
【従来の技術】
人間の生活において、酸素摂取は不可欠のものである。酸素摂取の方法としては、呼吸により体内（肺）に取り込まれる。酸素の含有する水・食物として口より摂取される。体表面（肌）より摂取される。があげられる。
【０００４】
特に、運動負荷時においては、呼吸により酸素摂取量は通常安静時より多いため、回復には酸素の摂取が必要となる。このような場合、最近では、酸素が封入された酸素スプレーで酸素補給を行う場合がある。また、体表面（肌）からの発汗により水分が放出されるため、喉の渇きが生じる。このような場合、スポーツドリンクで水分を補給する場合がある。
また、近年、美容上、化粧前及び化粧後の肌に酸素を多く含む水を塗布し、肌荒れを防止するものがある。
【０００５】
これら、酸素スプレーやスポーツドリンクや酸素を多く含む水は、それぞれのメーカーにおいて生産され、ボトル等の容器に入れて販売され高価なものであった。
【０００６】
【発明が解決しようとする課題】
前記したように、販売されている酸素スプレーやスポーツドリンクや酸素を多く含む水は高価なものである。そこで、誰でもが運動を兼ねて容易に酸素を多く含む酸素水を生成できるようにしようとするものである。
【０００７】
【発明を解決するための手段】
本発明を概説すれば、本発明は、容器に原料水と酸素ガスを密封し、揺動手段により酸素水を生成する酸素水の生成方法及び酸素水生成容器を提供する。
また、かかる本発明の生成方法及び容器には、容器が密栓手段を有する酸素水の生成方法及び酸素水生成容器が含まれる。
【０００８】
さらに、本発明の生成方法及び容器には、容器が撹拌増加手段を有する酸素水の生成方法及び酸素水生成容器が含まれる。
【０００９】
さらに、本発明の生成方法及び容器には、容器が、把持手段を有する酸素水の生成方法及び酸素水生成容器が含まれる。
【００１０】
さらに、さらに、本発明の生成方法及び容器には、容器が、括着手段を有する酸素水の生成方法及び酸素水生成容器が含まれる。
【００１１】
さらに、本発明の生成方法及び容器には、容器が、容器内を陽圧化せしめるための陽圧密封手段を有する酸素水の生成方法及び酸素水生成容器が含まれる。
【００１２】
さらに、本発明の生成方法及び容器には、容器が、生成された酸素水の噴出手段を具備する生成方法及び酸素水生成容器が含まれる。
【００１３】
【発明の実施の形態】
以下、本発明の技術的構成及び実施態様例について、図面を参照して詳しく説明する。なお、本発明は図示のものに限定されない事はいうまでもない事である。
【００１４】
本発明の酸素水の生成方法及び酸素水生成容器は、前記した［従来技術］の説明の項で説明したように、従来より、販売されている酸素スプレーやスポーツドリンクや酸素を多く含む水は高価なものであった。
【００１５】
本発明は、誰でもが自分で容易にしかも安価に酸素を多く含む酸素水を生成できるようになり、また、美容上、化粧前及び化粧後の肌に酸素を多く含む水を塗布することができ、肌荒れを防止することが可能となる。
【００１６】
図１は本発明の酸素水の生成方法及び酸素水生成容器の好ましい実施態様例を示したものである。同図における酸素水の生成方法及び酸素水生成容器には、容器１に原料水２と酸素ガス３が密封されており、さらに容器１には、密栓４が具備されている。
【００１７】
容器１は、ＰＥＴや、ナイロン等の樹脂や、アルミニュームや鉄等の金属から形成されている。特に容器１が樹脂製の場合、酸素が外部に透過して逃げないようにするため酸素の遮断性の優れる素材を使用するとよく、例えばガスバリヤー樹脂「ＭＸナイロンＲ」（三菱ガス化学株式会社）が上げられる。また、酸素の遮断性の優れる素材とＰＰやＰＥＴ樹脂との多層素材であってもよい。
【００１８】
原料水２は水道水あるいは精製水等の水からなるが、水分の補給や美容等の使用目的に応じて成分を決めてもよい。酸素ガス３は、酸素ボンベからの酸素、酸素濃縮器で濃縮された酸素、化学反応等で生成された酸素等が密封されている。密栓４はネジ式で固定されているが、圧入式あるいは嵌合式等の手段であってもよい。密栓４は、原料水２と酸素ガス３を容器１にいれるため、あるいは、できあがった酸素水を使用する際に着脱容易であることが望ましい。
【００１９】
これら構成した容器１を手動等の揺動手段にて揺動を加えると、内部の原料水２及び等ガス３は揺動し、攪拌され、酸素ガス３が原料水２に溶存し、溶存酸素量の大なる酸素水が出来上がる。出来上がった酸素水は前述したように、密栓４を外すことにより使用者に供給される。
【００２０】
また、本発明の酸素水生成容器と酸素ボンベを小型化し、携帯用セットとすれば、持ち運びも可能であり、必要な時に簡単に酸素水が生成でき、旅行等においても便利なものとなる。
【００２１】
図２は、本発明の酸素水の生成方法及び酸素水生成容器の他の実施態様例を示したものである。同図における酸素水の生成方法及び酸素水生成容器は、容器１に原料水２と酸素ガス３が密封されており、さらに容器１には密栓４が具備されている。
【００２２】
この実施態様例は基本的に１図の実施態様例と同様であるが、容器１には、さらに撹拌増加手段が具備されている。撹拌増加手段は、容器１の内壁に突起５を突出せしめて形成してあり、容器１を搖動した時に、容器１の中の原料水２と酸素ガス３が突起５にぶつかるため、酸素ガス３が原料水２に溶存しやすくなり、溶存酸素量の大なる酸素水が出来上がる。なお、撹拌増加手段として本実施態様例では、容器１の内壁に突起５を突出せしめた構成をあげたが、容器１の内部に孔の開いた仕切り板を設けたり、固形物を挿入して撹拌効率を高めてもよく、上記の撹拌増加手段に限定されるものではない。
【００２３】
図３〜図４は、本発明の酸素水の生成方法及び酸素水生成容器に係わる容器１を説明する図である。
【００２４】
図３は、本発明の容器１であり、容器１には原料水２と酸素ガス３が密栓４により密封されている。容器１は、コの字状に形成され、中央部には把持部６が設けられている。
【００２５】
図４は、図３と同様に容器１を説明する図であり、容器１の形状は異なるが基本構成は図３と同様である。容器１の中央部を細くし、この部分を把持部６としたものである。
【００２６】
本発明では、酸素水を作る場合には、容器１に搖動を加えることが重要な点であるが、容器１に把持部６を具備したことで、容器１をしっかり持つことができ、搖動が可能となる。
【００２７】
把持部６を持ってジョギング等の歩行を行うと、手の振りで容器１の搖動が行われ、その重みにより、腕の筋力の増を強兼ねて、容器１中の原料水２と酸素ガス３の撹拌がおこなわれる。かくしてジョギング等の歩行中に酸素水ができあがる。また、室内等での運動負荷用ダンベルとしての使用も可能で、ダンベルの移動により、筋力の増強兼ねて、容器１中の原料水２と酸素ガス３の撹拌がおこなわれ、酸素水ができあがる。
【００２８】
できあがった酸素水は、運動負荷による酸素の補給として、疲労回復用として、飲むことができる。また美容上、化粧前及び化粧後の肌に酸素を多く含む水を塗布し、肌荒れを防止することができる。
【００２９】
図５は、本発明の容器１であり、容器１には、原料水２と酸素ガス３が、密栓４により密封されている。容器１は、帯状に形成され、両端にはバンド７からなる括着手段が設けられている。容器１に括着手段を具備したことで、容器１を腰や背中にしっかり括ることができ、ジョギング等の歩行を行うと、体の動きにより容器１の搖動が行われ、その重みにより、足腰の筋力の増強兼ねて、容器１中の原料水２と酸素ガス３の撹拌がおこなわれる。かくしてジョギング等の歩行中に酸素水ができあがる。
【００３０】
図６は、本発明の容器１であり、容器１には原料水２と酸素ガス３が密栓４により密封されている。密栓４には穴８が明けられ、さらに、容器１に対して外から中には酸素ガス３が封入可能で、中から外には酸素ガス３が漏れない逆止弁９からなる陽圧密封手段が具備されている。酸素ガス３は、酸素ボンベや酸素濃縮器等から陽圧状態で逆止弁９を通り封入されると、逆止弁９は内圧により穴８を塞ぎ、陽圧状態で容器１に密封される。
【００３１】
密栓４に陽圧密封手段を具備したことで、容器１を搖動した際に、容器１の中の原料水２への酸素ガス３の溶解が助長され、陽圧でない時よりも酸素の溶存効率が向上した酸素水ができあがる。なお、本実施態様では、密栓４に逆止弁９を一体化して陽圧密封手段として説明したが、自転車等のタイヤのバルブの構造であってもよい。また、陽圧密封手段は、容器１に設けてもよい。
【００３２】
図７は、本発明の容器１であり、容器１には、原料水２と酸素ガス３が密栓４により密封されている。密栓４には、内部の液体を霧状に噴霧するための噴霧ノズル１０からなる噴出手段が具備されている。これら構成した容器１を手動等の揺動手段にて揺動を加えると、内部の原料水２及び等ガス３は揺動し、攪拌され、酸素ガス３が原料水２に溶存し、酸素水が出来上がる。
【００３３】
出来上がった酸素水は、チューブ１１から吸い上げられ、噴霧ノズル１０から使用者に霧状にして供給される。特に、女性が化粧を落とした際の肌の洗浄には、いちいち密栓を外すこともなく、肌に噴霧するだけでよいので塗布が面倒でなく使いやすいものとなる。なお、図７では噴出手段を、噴霧ノズル１０から使用者に霧状にして供給する態様で示したが、噴霧せずポンプ式にして液状で吐出してもよい。
【発明の効果】
本発明の酸素水の生成方法及び酸素水生成容器は、前記した［従来技術］の説明の項で説明したように、従来より、販売されている酸素スプレーやスポーツドリンクや酸素を多く含む水、あるいは肌荒れを防止用の洗顔水等は高価なものであった。本発明は、誰でもが自分で容易にしかも安価に酸素を多く含む酸素水を生成できるようになる。
【図面の簡単な説明】
【図１】本発明の酸素水の生成方法及び酸素水生成容器の概略図である。
【図２】本発明の酸素水生成容器の撹拌増加手段を説明する図である。
【図３】〜
【図４】
本発明の酸素水生成容器の把持手段を説明する外観図である。
【図５】本発明の酸素水生成容器の括着手段を説明する外観図である
【図６】本発明の酸素水生成容器の陽圧密封手段を説明する図である
【図７】本発明の酸素水生成容器の噴霧手段を説明する図である
【図１】
2004237271.tif 000003
【図２】
2004237271.tif 000004
【図３】
2004237271.tif 000005
【図４】
2004237271.tif 000006
【図５】
2004237271.tif 000007
【図６】
2004237271.tif 000008
【図７】
2004237271.tif 000009